(57)【要約】【課題】洗剤・柔軟剤を洗濯用水と共に洗濯槽に適時確実に供給する優れた洗浄性能を有する洗剤・柔軟剤投入装置を備えた衣類処理装置を提供する。【解決手段】隔壁１８４および隔壁１８５には、閉空間１８９が形成されており、閉空間１８９には給水ノズル１６０の外部に通じる孔１９０を備え、隔壁１８４もしくは隔壁１８５に不完全な形成が生じ給水経路１８６、１８７、１８８のいずれかが損なわれた際には、閉空間１８９には、圧搾空気５１０を用いた非破壊検査方法などでは、圧搾空気５１０が流入するので、給水ノズル１６０の外郭に通じる孔１９０から圧搾空気５１０が流出することから、給水ノズル１６０の内部に形成される隔壁１８４および隔壁１８５の形成が完全か否かを給水ノズル１６０の外部から容易に確認することが可能となる。【選択図】図４
2017144124.tif 000002
【特許請求の範囲】
【請求項１】
本体筐体と、前記本体筐体内に配設される洗濯槽と、前記本体筐体に設けられ、前記洗濯槽内に洗剤および柔軟剤を供給するための洗剤・柔軟剤投入装置とを備え、前記洗剤・柔軟剤投入装置には、予備洗浄用洗剤、本洗浄用洗剤、柔軟剤を適時前記洗濯槽に供給するためのそれぞれの収納部と、前記収納部に納められる予備洗浄用洗剤、本洗浄用洗剤、柔軟剤を洗濯用水と共に前記洗濯槽に流し込み供給するための給水ノズルとが設けられ、前述給水ノズルの内部には、予備洗浄用洗剤、本洗浄用洗剤、柔軟剤の収納部に給水する給水経路を区画形成するための隔壁が設けられ、前記隔壁内を前記給水ノズル外部に連通させたことを特徴とする衣類処理装置。
【請求項２】
前記隔壁内を閉空間に形成し、前記隔壁に、前記閉空間を前記給水ノズル外部に連通させる孔を形成した請求項１に記載の衣類処理装置。
【請求項３】
前記隔壁を前記給水ノズル外郭として構成し、前記隔壁内部を前記給水ノズル外部に連通させたことを特徴とする請求項１に記載の衣類処理装置。
【発明の詳細な説明】
【技術分野】
【０００１】
本発明は、衣類の洗い、すすぎ、脱水等を行うための衣類処理装置に関する。
【背景技術】
【０００２】
従来、洗剤・柔軟剤投入装置を設け、洗剤・柔軟剤投入装置により、洗剤、柔軟剤を洗濯用水と共に洗濯槽に流し込み供給するよう構成した衣類処理装置が開発されている（特許文献１参照）。
【０００３】
特許文献１に記載の衣類処理装置は、洗剤・柔軟剤を洗濯用水と共に洗濯槽に流し込み供給するために洗剤・軟剤投入装置が用いられ、洗剤・軟剤投入装置の給水ノズルの内部には、給水経路を形成するための樹脂溶着工法などを用いた隔壁が形成されている。
【先行技術文献】
【特許文献】
【０００４】
【特許文献１】欧州特許出願公開第０３５７９００号明細書
【発明の概要】
【発明が解決しようとする課題】
【０００５】
昨今では、洗剤・柔軟剤投入装置には、予備洗浄用洗剤、本洗浄用洗剤、柔軟剤を適時洗濯槽に供給するためのそれぞれの収納部が備えられている。予備洗浄用洗剤、本洗浄用洗剤、柔軟剤を洗濯用水と共に洗濯槽に流し込み供給するためには、給水ノズルが用いられるが、給水ノズルの多くは樹脂成形部品などで構成され、給水ノズルの内部には給水経路を形成するための樹脂溶着工法などを用いた隔壁が設けられている。給水ノズル内部の隔壁は、予備洗浄用洗剤、本洗浄用洗剤、柔軟剤の収納部に相対する様に、それぞれに適時洗濯用水を供給可能となるように形成される構成とする必要がある。
【０００６】
給水ノズルからの漏水検査としては、圧搾空気を用いた非破壊検査方法などが用いられるが、その検査により給水ノズル外郭部からの漏水検査が可能である。その一方で、給水ノズルの隔壁は、給水ノズル内部に形成されているため、隔壁に樹脂溶着工法の不具合などによって生じる隔壁の不完全な形成を発見することはできない。隔壁の不完全な形成によって給水経路が損なわれた場合には、洗剤・柔軟剤を洗濯用水と共に洗濯槽に適時供給をすることが困難となり、衣類処理装置の洗浄性能の悪化を招いていた。
【０００７】
本発明は、優れた洗浄性能を有する洗剤・柔軟剤投入装置を備えた衣類処理装置を提供することを目的とする。
【課題を解決するための手段】
【０００８】
前記従来の課題を解決するために、本発明の衣類処理装置は、本体筐体と、前記本体筐体内に配設される洗濯槽と、前記本体筐体に設けられ、前記洗濯槽内に洗剤および柔軟剤を供給するための洗剤・柔軟剤投入装置とを備え、前記洗剤・柔軟剤投入装置には、予備洗浄用洗剤、本洗浄用洗剤、柔軟剤を適時前記洗濯槽に供給するためのそれぞれの収納部と、前記収納部に納められる予備洗浄用洗剤、本洗浄用洗剤、柔軟剤を洗濯用水と共に前記洗濯槽に流し込み供給するための給水ノズルとが設けられ、前述給水ノズルの内部には、予備洗浄用洗剤、本洗浄用洗剤、柔軟剤の収納部に給水する給水経路を区画形成するための隔壁が設けられ、前記隔壁内を前記給水ノズル外部に連通させたものである。
【発明の効果】
【０００９】
本発明に係る衣類処理装置は、洗剤・柔軟剤を洗濯用水と共に洗濯槽に適時確実に供給することができる優れた洗浄性能を有する洗剤・柔軟剤投入装置を備えた衣類処理装置を提供することができる。
【図面の簡単な説明】
【００１０】
【図１】本発明の実施の形態１における衣類処理装置の斜視図
【図２】同運転操作部及び洗剤・柔軟剤投入装置の斜視図
【図３】同洗剤・柔軟剤投入装置の斜視図
【図４】同衣類処理装置の洗剤・柔軟剤投入装置の平面図
【図５】図４におけるｂ−ｂ断面図
【図６】図４におけるｃ−ｃ断面図
【図７】本発明の実施の形態２における衣類処理装置の洗剤・柔軟剤投入装置の平面図
【図８】図７におけるｂ−ｂ断面図
【図９】図７におけるｃ−ｃ断面図
【発明を実施するための形態】
【００１１】
第１の発明は、本体筐体と、前記本体筐体内に配設される洗濯槽と、前記本体筐体に設けられ、前記洗濯槽内に洗剤および柔軟剤を供給するための洗剤・柔軟剤投入装置とを備え、前記洗剤・柔軟剤投入装置には、予備洗浄用洗剤、本洗浄用洗剤、柔軟剤を適時前記洗濯槽に供給するためのそれぞれの収納部と、前記収納部に納められる予備洗浄用洗剤、本洗浄用洗剤、柔軟剤を洗濯用水と共に前記洗濯槽に流し込み供給するための給水ノズルとが設けられ、前述給水ノズルの内部には、予備洗浄用洗剤、本洗浄用洗剤、柔軟剤の収納部に給水する給水経路を区画形成するための隔壁が設けられ、前記隔壁内を前記給水ノズル外部に連通させたものである。
【００１２】
これにより、圧搾空気を用いた非破壊検査方法などでは、隔壁内から圧搾空気が給水ノズル外郭へ流出するか否かを確認することにより隔壁に不具合がないかを容易に確認することができる。よって、給水経路が損なわれた給水ノズルが使用されることはなく、洗剤・柔軟剤を洗濯用水と共に洗濯槽に適時確実に供給することができることから、優れた洗浄性能を有する洗剤・柔軟剤投入装置を備えた衣類処理装置を提供することができる。
【００１３】
第２の発明は、特に、第１の発明における前記隔壁内を閉空間に形成し、前記隔壁に、前記閉空間を前記給水ノズル外部に連通させる孔を形成したものである。
【００１４】
第３の発明は、特に、第１の発明における前記隔壁を前記給水ノズル外郭として構成し、前記隔壁内部を前記給水ノズル外部に連通させたものである。
【００１５】
以下、本発明の実施の形態について、図面を参照しながら説明する。なお、この実施の形態によって本発明が限定されるものではない。
【００１６】
（実施の形態１）
図１は、本発明の実施の形態１における衣類処理装置の斜視図、図２は、同運転操作部及び洗剤・柔軟剤投入装置の斜視図、図３は、同洗剤・柔軟剤投入装置の斜視図、図４は、同衣類処理装置の洗剤・柔軟剤投入装置の平面図、図５は、図４におけるｂ−ｂ断面図、図６は、図４におけるｃ−ｃ断面図である。
【００１７】
図１に示すように、衣類処理装置１００の本体筐体１１０の内部には、洗濯槽１１２が揺動自在に配設され、洗濯槽１１２内に回転ドラム１１１が回転自在に配設されている。回転ドラム１１１は、洗濯槽１１２の背面に取り付けられたモータ１１３により回転駆動
されている。
【００１８】
本実施の形態の衣類処理装置１００は、少なくとも洗い行程、すすぎ行程、脱水行程、乾燥工程を行う機能を有した、いわゆるドラム式洗濯乾燥機を構成している。しかし、乾燥系は省略した洗濯機でもよく、いわゆる縦型洗濯機でもよい。
【００１９】
本体筐体１１０の前上部には、衣類処理装置１００を運転するための運転操作部１２０が配設され、運転操作部１２０に隣接して洗剤・柔軟剤投入装置１３０が配設されている。
【００２０】
洗剤・柔軟剤投入装置１３０には、洗剤・柔軟剤投入操作筐体１５０が形成され、洗剤・柔軟剤投入操作筐体１５０を介して洗濯槽１１２内に水道等から洗濯用水を供給する給水バルブ１４０が設けられている。洗剤・柔軟剤投入操作筐体１５０内には、予備洗浄用洗剤、本洗浄用洗剤、柔軟剤を収納するための収納部１５１が形成されている。収納部１５１には、予備洗浄用収納部１５２、本洗浄用洗剤収納部１５３および柔軟剤収納部１５４が区画形成されている。
【００２１】
洗剤・柔軟剤投入操作筐体１５０には、収納部１５１に洗濯用水を供給する給水ノズル１６０が設けられている。給水ノズル１６０は、外郭を給水ノズル上筐体１７０と給水ノズル下筐体１８０とから構成し、給水ノズル上筐体１７０と給水ノズル下筐体１８０とを嵌合部１７１により密着し形成される。これにより、樹脂溶着工法などを用いて給水バルブ１４０からの洗濯用水を漏水することのないよう収納部１５１に供給することが可能となる。
【００２２】
給水ノズル下筐体１８０には、予備洗浄用収納部１５２に洗濯用水を供給する予備洗浄用ノズル孔１８１と、本洗浄用洗剤収納部１５３に洗濯用水を供給する本洗浄用ノズル孔１８２と、柔軟剤収納部１５４に洗濯用水を供給する柔軟剤用ノズル孔１８３とが形成されている。
【００２３】
給水ノズル上筐体１７０および給水ノズル下筐体１８０には、予備洗浄用ノズル孔１８１と柔軟剤用ノズル孔１８３との間に嵌合部１７２により密着して形成される隔壁１８４と、本洗浄用ノズル孔１８２と柔軟剤用ノズル孔１８３との間に嵌合部１７２により密着して形成される隔壁１８５とが形成されている。
【００２４】
給水ノズル１６０内部は、隔壁１８４及び隔壁１８５により、予備洗浄用ノズル孔１８１の方向に洗濯用水を供給するための給水経路１８６と、本洗浄用ノズル孔１８２の方向に洗濯用水を供給するための給水経路１８７と、給水経路１８６と給水経路１８７とを併せて柔軟剤用ノズル孔１８３の方向に洗濯用水を供給するための給水経路１８８とが形成される。
【００２５】
衣類処理装置１００の運転時には、予備洗い行程においては、洗濯用水は、給水経路１８６を通って供給され、予備洗浄用ノズル孔１８１の方向に供給される。給水経路１８６から供給される洗濯用水は、予備洗浄用ノズル孔１８１と柔軟剤用ノズル孔１８３との間の隔壁１８４によって柔軟剤用ノズル孔１８３および本洗浄用ノズル孔１８２方向に流れるのを妨げられる。
【００２６】
本洗い工程においては、洗濯用水は、給水経路１８７を通って供給され、本洗浄用ノズル孔１８２の方向に供給される。給水経路１８７を通って供給される洗濯水は、本洗浄用ノズル孔１８２と柔軟剤用ノズル孔１８３との間の隔壁１８５によって柔軟剤用ノズル孔１８３および予備洗浄用ノズル孔１８１に流れるのを妨げられる。
【００２７】
すすぎ行程においては、洗濯用水は、給水経路１８６および給水経路１８７からの給水が交わり給水経路１８８を通って供給される。給水経路１８８を通って供給される洗濯用水は、隔壁１８４および隔壁１８５によって柔軟剤用ノズル孔１８３に供給される。
【００２８】
図４に示すように、隔壁１８４と隔壁１８５とを連通して閉空間１８９を形成している。閉空間１８９には、給水ノズル１６０の外郭に通じる孔１９０を形成している。
【００２９】
隔壁１８４もしくは隔壁１８５に不完全な形成が生じ、給水経路１８６、１８７、１８８のいずれかが損なわれることが生じる場合が考えられる。このような場合には、閉空間１８９には、圧搾空気５１０を用いた非破壊検査方法などでは、圧搾空気５１０が流入する。閉空間１８９に、圧搾空気５１０が入ると、給水ノズル１６０の外郭に通じる孔１９０からは、圧搾空気５１０が流出することから、給水ノズル１６０の内部に形成される隔壁１８４および隔壁１８５の形成が完全か否かを給水ノズル１６０の外部から容易に確認することが可能となる。
【００３０】
これにより、給水経路１８６、１８７、１８８が損なわれた給水ノズル１６０が誤って衣類処理装置１００に使用されることを抑制することが可能となる。洗剤・柔軟剤を洗濯用水５００と共に洗濯槽１１２に適時確実に供給することができることから、優れた洗浄性能を有する洗剤・柔軟剤投入装置１３０を備えた衣類処理装置を提供することができる。
【００３１】
（実施の形態２）
図７は、本発明の実施の形態２における衣類処理装置の洗剤・柔軟剤投入装置の平面図、図８は、図７におけるｂ−ｂ断面図、図９は、図７におけるｃ−ｃ断面図である。実施の形態１と同一部品は、同一符号を付して説明を省略する。
【００３２】
本発明の実施の形態２は、給水ノズル２６０の内部に設けられた給水経路を形成するための隔壁２８４および隔壁２８５を備えており、隔壁２８４および隔壁２８５は、給水ノズル２６０の外郭として構成している。この構成では、隔壁２８４および隔壁２８５に、実施の形態１で形成した孔１９０を形成する必要がなく、簡単な構成で、隔壁２８４および隔壁２８５の形成が完全か否かをより容易に確認することができる。
【産業上の利用可能性】
【００３３】
以上のように、本発明にかかる衣類処理装置は、簡単な構成により給水ノズル１６０の内部に形成される隔壁１８４および隔壁１８５の形成が完全か否かを給水ノズル１６０の外部から容易に確認することが可能になるので、他の衣類処理装置の用途にも適用できる。
【符号の説明】
【００３４】
１００  衣類処理装置
１１０  本体筐体
１１１  回転ドラム
１１２  洗濯槽
１１３  モータ
１２０  運転操作部
１３０  洗剤・柔軟剤投入装置
１４０  給水バルブ
１５０  洗剤・柔軟剤投入操作筐体
１５１  収納部
１５２  予備洗浄用収納部
１５３  本洗浄用洗剤収納部
１５４  柔軟剤収納部
１６０  給水ノズル
１７０  給水ノズル上筐体
１７１  嵌合部
１７２  嵌合部
１８０  給水ノズル下筐体
１８１  予備洗浄用ノズル孔
１８２  本洗浄用ノズル孔
１８３  柔軟剤用ノズル孔
１８４  隔壁
１８５  隔壁
１８６  給水経路
１８７  給水経路
１８８  給水経路
１８９  閉空間
１９０  孔
２６０  給水ノズル
２８４  隔壁
２８５  隔壁
５００  洗濯用水
５１０  圧搾空気
【図１】
2017144124.tif 000003
【図２】
2017144124.tif 000004
【図３】
2017144124.tif 000005
【図４】
2017144124.tif 000006
【図５】
2017144124.tif 000007
【図６】
2017144124.tif 000008
【図７】
2017144124.tif 000009
【図８】
2017144124.tif 000010
【図９】
2017144124.tif 000011